(57)【要約】【課題】簡易な金型構成で、幅寸法を大きくとることなく、連結部に隣接する端子部のバネ性を確保することができるカードコネクタ用ハウジングおよびカードコネクタ用ハウジングの製造方法を提供すること。【解決手段】カードの挿入空間を有するハウジング本体２と、ハウジング本体２に基端部が埋設されたコンタクト端子３ｂと、ハウジング本体２に埋設され、コンタクト端子３ｂに対してカードの挿入方向に離間する外部端子４ｂと、コンタクト端子３ｂに対して端子の幅方向に隣接し、一端部がコンタクト端子３ｂの基端部に接続され、他端部が外部端子４ｂに接続された連結部５とを備え、連結部５の一端部側を、コンタクト端子３ｂ側の所定領域を露出するようにハウジング本体２に埋設して形成した。【選択図】図２
2011108561.tif 000002
【特許請求の範囲】
【請求項１】
カードの挿入空間を有するハウジング本体と、
前記ハウジング本体に基端部が埋設された第一の端子部と、
前記ハウジング本体に埋設され、前記第一の端子部に対して前記カードの挿入方向に離間する第二の端子部と、
前記第一の端子部に対して端子の幅方向に隣接し、一端部が前記第一の端子部の前記基端部に接続され、他端部が前記第二の端子部に接続された連結部とを備え、
前記連結部の前記一端部側は、前記第一の端子部側の所定領域を露出するように前記ハウジング本体に埋設されたことを特徴とするカードコネクタ用ハウジング。
【請求項２】
前記連結部の前記第一の端子部側の所定領域は、前記第一の端子部をシールする成形金型によって保持されることで、前記ハウジング本体から露出されることを特徴とする請求項１に記載のカードコネクタ用ハウジング。
【請求項３】
前記連結部の前記一端部側は、少なくとも前記第一の端子部の根本付近に対応する領域を露出するように前記ハウジング本体に埋設されたことを特徴とする請求項１または請求項２に記載のカードコネクタ用ハウジング。
【請求項４】
前記連結部の前記一端部側は、前記第一の端子部の前記根本付近から先端までの部分に対応する領域を露出するように前記ハウジング本体に埋設されたことを特徴とする請求項１から請求項３のいずれかに記載のカードコネクタ用ハウジング。
【請求項５】
前記ハウジング本体に基端部が埋設され、前記連結部の前記他端部側に対して端子の幅方向に隣接すると共に、前記連結部が延在する平面に対して直交する高さ方向に離間する第三の端子部を備え、
前記連結部の前記他端部側は、前記第三の端子部の根本付近から先端までの部分に対応する領域が全幅に亘って前記ハウジング本体から露出されたことを特徴とする請求項１から請求項４のいずれかに記載のカードコネクタ用ハウジング。
【請求項６】
カードの挿入空間を有するハウジング本体に基端部が埋設された第一の端子部と、前記ハウジング本体に埋設され、前記第一の端子部に対して前記カードの挿入方向に離間する第二の端子部と、前記第一の端子部に対して端子の幅方向に隣接し、一端部が前記第一の端子部の前記基端部に接続され、他端部が前記第二の端子部に接続された連結部とを形成し、
成形金型によって前記第一の端子部をシールすると共に前記連結部の前記一端部側における前記第一の端子部側の所定領域を保持し、
前記成形金型に充填された樹脂により、前記連結部の前記成形金型によって保持された所定領域を露出するように、前記連結部を前記ハウジング本体に埋設することを特徴とするカードコネクタ用ハウジングの製造方法。
【発明の詳細な説明】
【技術分野】
【０００１】
本発明は、カードコネクタ用ハウジングおよびカードコネクタ用ハウジングの製造方法に関し、特に、インサート成形により製造されるカードコネクタ用ハウジングおよびカードコネクタ用ハウジングの製造方法に関する。
【背景技術】
【０００２】
従来、カードコネクタ用ハウジングとして、樹脂製のハウジング本体に、接点端子部や外部端子部等の複数の端子部を埋設して製造されるものが知られている（例えば、特許文献１参照）。この特許文献１に記載のカードコネクタ用ハウジングは、ハウジング本体の前方および後方に複数の接点端子部が設けられており、前後する接点端子部を複数の連結部により連結して構成されている。各連結部は、それぞれ一端部が後方の接点端子部の基端部に接続され、他端部が後方の接続端子部の側方を通って前方の接続端子部の基端部に接続されている。
【０００３】
カードコネクタ用ハウジングのインサート成形時には、各端子部が基端部を除いて成形金型でシールされ、連結部が変形や位置ズレ防止用の押えピンにより上下から支持される。このような成形により、各接点部が基端部を除いてハウジング本体から突出され、連結部が溶融樹脂の流動圧によって変形および位置ズレすることなく全幅に亘ってハウジング本体内に安定姿勢で埋設される。
【先行技術文献】
【特許文献】
【０００４】
【特許文献１】特許第３９０２９１７号公報
【発明の概要】
【発明が解決しようとする課題】
【０００５】
しかしながら、上記したような従来のカードコネクタ用ハウジングにおいては、連結部がハウジング本体内に全幅に亘って埋設されるため、図７に示すように、連結部６１と連結部６１に隣接する接点端子部６２との間に樹脂壁６３が形成されてしまっていた。また、成形金型６４は、溶融樹脂の側方からの侵入を防止するために、樹脂壁６３と接点端子部６２との間を広くとるように形成されていた。このため、接点端子部６２と連結部６１との間のスペースＬ２を広くとる必要があり、カードコネクタ用ハウジングの幅寸法を大きくすることなく連結部６１および接点端子部６２を配置するためには、接点端子部６２を幅狭に形成する必要があった。これにより、接点端子部６２のバネ性を確保することが困難となっていた。
【０００６】
また、従来のカードコネクタ用ハウジングにおいては、溶融樹脂の流動が連結部６１を支持する押えピン６５、６６により阻害されるのを防止するために、溶融樹脂の流動スペースを広く取らなければならなかった。さらに、成形金型６４に押えピン６５、６６を取り付けなければならず、金型構成が煩雑となっていた。
【０００７】
本発明はこのような実情に鑑みてなされたものであり、簡易な金型構成で、幅寸法を大きくとることなく、連結部に隣接する端子部のバネ性を確保することができるカードコネクタ用ハウジングおよびカードコネクタ用ハウジングの製造方法を提供することを目的とする。
【課題を解決するための手段】
【０００８】
本発明のカードコネクタ用ハウジングは、カードの挿入空間を有するハウジング本体と、前記ハウジング本体に基端部が埋設された第一の端子部と、前記ハウジング本体に埋設され、前記第一の端子部に対して前記カードの挿入方向に離間する第二の端子部と、前記第一の端子部に対して端子の幅方向に隣接し、一端部が前記第一の端子部の前記基端部に接続され、他端部が前記第二の端子部に接続された連結部とを備え、前記連結部の前記一端部側は、前記第一の端子部側の所定領域を露出するように前記ハウジング本体に埋設されたことを特徴とする。
【０００９】
また本発明は、上記カードコネクタ用ハウジングにおいて、前記連結部の前記第一の端子部側の所定領域は、前記第一の端子部をシールする成形金型によって保持されることで、前記ハウジング本体から露出されることを特徴とする。
【００１０】
本発明のカードコネクタ用ハウジングの製造方法は、カードの挿入空間を有するハウジング本体に基端部が埋設された第一の端子部と、前記ハウジング本体に埋設され、前記第一の端子部に対して前記カードの挿入方向に離間する第二の端子部と、前記第一の端子部に対して端子の幅方向に隣接し、一端部が前記第一の端子部の前記基端部に接続され、他端部が前記第二の端子部に接続された連結部とを形成し、成形金型によって前記第一の端子部をシールすると共に前記連結部の前記一端部側における前記第一の端子部側の所定領域を保持し、前記成形金型に充填された樹脂により、前記連結部の前記成形金型によって保持された所定領域を露出するように、前記連結部を前記ハウジング本体に埋設することを特徴とする。
【００１１】
これらの構成によれば、第一の端子部に隣接する連結部の第一の端子部側の所定領域がハウジング本体から露出されるため、第一の端子部と連結部との間に樹脂壁が形成されることがない。また、樹脂壁が形成されないため、成形金型により第一の端子部と樹脂壁との間隔を広く取る必要がない。よって、第一の端子部と連結部との間に広いスペースが不要となるため、カードコネクタ用ハウジングの幅寸法を大きくすることなく、第一の端子部を幅広に形成することができ、第一の端子部のバネ性を確保することができる。また、第一の端子部をシールする成形金型により連結部を保持することで、押えピンにより連結部を保持する構成と比較して金型構成を簡易にすることが可能となる。
【００１２】
また本発明は、上記カードコネクタ用ハウジングにおいて、前記連結部の前記一端部側は、少なくとも前記第一の端子部の根本付近に対応する領域を露出するように前記ハウジング本体に埋設されたことを特徴とする。
【００１３】
この構成によれば、連結部の一端部側と少なくとも第一の端子部の根本付近との間に広いスペースが不要となるため、第一の端子部の根本付近を幅広に形成することができ、第一の端子部のバネ性を確保することができる。なお、ここでいう第一の端子部の根本付近とは、第一の端子部のバネとして作用する部分の根本付近を含むものである。
【００１４】
また本発明は、上記カードコネクタ用ハウジングにおいて、前記連結部の前記一端部側は、前記第一の端子部の前記根本付近から先端までの部分に対応する領域を露出するように前記ハウジング本体に埋設されたことを特徴とする。
【００１５】
この構成によれば、成形金型により連結部を広い範囲で保持させることができ、インサート成形時に、溶融樹脂の流動圧による変形や位置ズレを確実に防止することができる。
【００１６】
また本発明は、上記カードコネクタ用ハウジングにおいて、前記ハウジング本体に基端部が埋設され、前記連結部の前記他端部側に対して端子の幅方向に隣接すると共に、前記連結部が延在する平面に対して直交する高さ方向に離間する第三の端子部を備え、前記連結部の前記他端部側は、前記第三の端子部の根本付近から先端までの部分に対応する領域が全幅に亘って前記ハウジング本体から露出されたことを特徴とする。
【００１７】
この構成によれば、連結部の他端部側における第三の端子部のハウジング本体からの突出部分に対応する領域が全幅に亘って露出されるため、平面視において連結部と第三の端子部との間隔を狭めることができる。よって、カードコネクタ用ハウジングの幅寸法を大きくすることなく、第三の端子部の基端部側を幅広に形成することができ、第三の端子部のバネ性を確保することができる。
【発明の効果】
【００１８】
本発明によれば、簡易な金型構成で、幅寸法を大きくとることなく、連結部に隣接する端子部のバネ性を確保することができる。
【図面の簡単な説明】
【００１９】
【図１】本発明に係るカードコネクタ用ハウジングの実施の形態を示す図であり、カードコネクタ用ハウジングの斜視図である。
【図２】本発明に係るカードコネクタ用ハウジングの実施の形態を示す図であり、カードコネクタ用ハウジングの上面図である。
【図３】本発明に係るカードコネクタ用ハウジングの実施の形態を示す図であり、カードコネクタ用ハウジングの部分拡大図である。
【図４】本発明に係るカードコネクタ用ハウジングの実施の形態を示す図であり、連結部の一端部側におけるシール状態を示す断面模式図である。
【図５】本発明に係るカードコネクタ用ハウジングの実施の形態を示す図であり、カードコネクタ用ハウジングの製造方法の前半の説明図である。
【図６】本発明に係るカードコネクタ用ハウジングの実施の形態を示す図であり、カードコネクタ用ハウジングの製造方法の後半の説明図である。
【図７】本発明に係るカードコネクタ用ハウジングの従来例を示す図である。
【発明を実施するための形態】
【００２０】
以下、本発明の実施の形態について添付図面を参照して詳細に説明する。なお、以下においては、本発明を規格の異なる３種類のカードを挿入可能としたコンバイン型のカードコネクタ用ハウジングに適用する場合について説明する。しかしながら、本実施の形態に係るカードコネクタ用ハウジングの適用対象については、コンバイン型のカードコネクタ用ハウジングに限定されるものではなく適宜変更が可能である。
【００２１】
図１から図３を参照して、カードコネクタ用ハウジングの全体構成について説明する。図１は、本発明の実施の形態に係るカードコネクタ用ハウジングの斜視図である。図２は、本発明の実施の形態に係るカードコネクタ用ハウジングの上面図である。図３は、本発明の実施の形態に係るカードコネクタ用ハウジングの部分拡大図である。
【００２２】
図１および図２に示すように、本実施の形態に係るカードコネクタ用ハウジング１は、図示しない第一、第二、第三のカードに対応した複数のコンタクト端子３ａ、３ｂ、３ｃを、樹脂製のハウジング本体２に埋設して形成されている。ハウジング本体２は、上面および前面が開口されており、図示しないカバーの装着により挿入口１５を有する箱状体を構成する。挿入口１５は、正面視において第一、第二、第三のカードのそれぞれを、挿入可能な形状に形成されている。
【００２３】
第一のカードは、ｘＤ−Ｐｉｃｔｕｒｅ（登録商標）カードであり、３種類のカードのうち挿入方向における長さが最も短く形成されている。第一のカードは、カードコネクタ用ハウジング１の挿入口１５から奥方に向かって略１／３の位置まで挿入され、コンタクト端子３ａに接続される。第二のカードは、ＳＤ（Secure Digital）カードであり、３種類のカードのうち挿入方向における長さが二番目に短く形成されている。第二のカードは、カードコネクタ用ハウジング１の挿入口１５から奥方に向かって略２／３の位置まで挿入され、コンタクト端子３ｂに接続される。第三のカードは、メモリースティック（登録商標）カードであり、３種類のカードのうち挿入方向における長さが最も長く形成されている。第三のカードは、カードコネクタ用ハウジング１の最奥位置まで挿入され、コンタクト端子３ｃに接続される。
【００２４】
また、ハウジング本体２の底壁部１１には、複数のコンタクト端子３ａ、３ｂ、３ｃをハウジング本体２から露出させる窓部１６ａ、１６ｂ、１６ｃが開口されている。窓部１６ａは、ハウジング本体２の挿入口１５側に位置し、複数のコンタクト端子３ａの周囲を囲っている。窓部１６ａの挿入口１５側の一辺は、複数のコンタクト端子３ａを保持する端子保持部２１により形成されている。端子保持部２１は、ハウジング本体２の幅方向に延在し、複数のコンタクト端子３ａを所定の間隔を空けて横並びに保持している。端子保持部２１に保持された複数のコンタクト端子３ａは、端子保持部２１の奥方側の端面３１から奥方に向けて突出される。
【００２５】
複数のコンタクト端子３ａは、基端部が端子保持部２１に保持された片持バネであり、先端側を円弧状に曲げて形成されている。複数のコンタクト端子３ａは、円弧状の先端側が第一のカードの背面に設けられたパッドに接触されることで、第一のカードに導通される。また、複数のコンタクト端子３ａの基端部は、それぞれ端子保持部２１の挿入口１５側に保持された複数の外部端子４ａに接続されている。複数の外部端子４ａは、端子保持部２１の前方側の端面３２から前方に向けて突出される。
【００２６】
窓部１６ｂは、ハウジング本体２の略中央に位置し、複数のコンタクト端子３ｂの周囲を囲っている。窓部１６ｂの挿入口１５側の一辺は、複数のコンタクト端子３ｂを保持する端子保持部２２により形成されている。端子保持部２２は、ハウジング本体２の幅方向に延在し、複数のコンタクト端子３ｂを所定の間隔を空けて横並びに保持している。端子保持部２２に保持された複数のコンタクト端子３ｂは、端子保持部２２の奥方側の端面３３から奥方に向けて突出される。
【００２７】
複数のコンタクト端子３ｂは、基端部が端子保持部２２に保持された片持バネであり、先端側を円弧状に曲げて形成されている。複数のコンタクト端子３ｂは、円弧状の先端側が第二のカードの背面に設けられたパッドに接触されることで、第二のカードに導通される。また、複数のコンタクト端子３ｂは、それぞれ複数の連結部５を介してハウジング本体２の奥壁部１２に設けられた複数の外部端子４ｂの基端部に接続されている。複数の外部端子４ｂは、ハウジング本体２の奥壁部１２に横並びに保持されており、奥壁部１２の外面３４から外側に向けて突出されている。複数の連結部５は、一端部がコンタクト端子３ｂの基端部に接続され、それぞれ対応するコンタクト端子３ｂの側方を通って、他端部が外部端子４ｂの基端部に接続される。
【００２８】
一部の連結部５は、窓部１６ｂおよび窓部１６ｃを挿入方向に横切って延在している。この一部の連結部５の中間部分は、窓部１６ｂの奥方側の一辺を形成する連結部保持部２３により保持される。また、端子保持部２２および連結部保持部２３の間は、窓部１６ｂを挿入方向に仕切る複数の桟部２４により接続されている。複数の桟部２４は、一部の連結部５の一端部側に沿うように延在し、一部の連結部５の幅方向における略半部を埋設している（図３参照）。この場合、一部の連結部５の一端部側は、それぞれ接続されたコンタクト端子３ｂ側である略半部が露出され、樹脂壁を介すことなく、コンタクト端子３ｂに隣接される。
【００２９】
窓部１６ｃは、ハウジング本体２の奥方に位置し、複数のコンタクト端子３ｃの周囲を囲っている。窓部１６ｃの奥壁部１２側の一辺は、複数のコンタクト端子３ｃを保持する端子保持壁部２５により形成されている。端子保持壁部２５は、カードコネクタ用ハウジング１の幅方向に延在し、複数のコンタクト端子３ｃを所定の間隔を空けて横並びに保持している。端子保持壁部２５に保持された複数のコンタクト端子３ｃは、端子保持壁部２５の前面３５から挿入口１５側に向けて突出される。
【００３０】
複数のコンタクト端子３ｃは、基端部が端子保持壁部２５に保持された片持バネであり、先端側を円弧状に曲げて形成されている。複数のコンタクト端子３ｃは、円弧状の先端側が第三のカードの背面に設けられたパッドに接触されることで、第三のカードに導通される。複数のコンタクト端子３ｃの基端部は、それぞれハウジング本体２の奥壁部１２に設けられた複数の外部端子４ｃの基端部に接続されている。各外部端子４ｃは、ハウジング本体２の奥壁部１２に横並びに保持されており、奥壁部１２の外面３４から外側に向けて突出されている。
【００３１】
また、複数のコンタクト端子３ｃの基端部は、端子保持壁部２５に沿うように鉛直方向に折り曲げられ、端子保持壁部２５の略上半部から突出される。このため、複数のコンタクト端子３ｃは、外部端子４ｃに対して高さ方向に離間される。窓部１６ｃを挿入方向に横切る連結部５の他端側は、一部の隣り合うコンタクト端子３ｃ間を通って外部端子４ｂに接続されている。この場合、連結部５は、外部端子４ｂ、４ｃと略同一平面に延在している。よって、一部のコンタクト端子３ｃは、連結部５に対して、高さ方向に離間すると共にカードコネクタ用ハウジング１の幅方向に隣接される。また、連結部５の他端部側は、窓部１６ｃにおいて全幅に亘って露出されている。
【００３２】
ハウジング本体２の連結部保持部２３には、第二のカードの挿入方向の前端に当接する当接壁部２６が形成されている。当接壁部２６の一の側壁部１３側には、当接壁部２６と共に第二のカードの挿入方向の前端に当接する当接ブロック２７が形成されている。第二のカードは、この当接壁部２６および当接ブロック２７により、カードコネクタ用ハウジング１の奥方への侵入が規制される。また、第二のカードよりもカードコネクタ用ハウジング１の奥方へ装着される第三のカードの先端側は、当接壁部２６および当接ブロック２７との当接を避けるように下面が切り欠かれている。したがって、第三のカードは、カードコネクタ用ハウジング１の奥方への侵入が許容される。
【００３３】
当接壁部２６の上面には、複数のコンタクト端子３ｃに対応して、複数の突起部３６が設けられている。複数の突起部３６は、第三のカードの一方の面に前端から後方に向けて形成された図示しない複数の凹部に対応して形成されている。第三のカードに形成された複数の凹部には、それぞれパッドが配置されている。複数の突起部３６は、第三のカードを正規の向きで挿入したときに一方の面に形成された複数の凹部内に入り込んでカードの装着が許可され、第三のカードの複数のパッドと複数のコンタクト端子３ｃとを接触させる。
【００３４】
ハウジング本体２の一の側壁部１３に対向する他の側壁部１４側には、側壁部１４と共に図示しないスライド部材を挿入方向にガイドするガイド壁部２８が、上面から僅かに突出して設けられている。ハウジング本体２の底壁部１１には、このガイド壁部２８と側壁部１４とによりスライド部材のスライド領域３７が形成されている。スライド領域３７に面する奥壁部１２には、前面から挿入口１５側に向けて突出し、図示しない排出バネを保持する保持突起３８が形成されている。
【００３５】
このように、構成されたカードコネクタ用ハウジング１は、複数の窓部１６ａ、１６ｂ、１６ｃに対応する部分を後述する成形金型４１の一部によりシールした状態で、成形金型４１に溶融樹脂を充填することで成形される。この場合、連結部５の一端部側は、対応するコンタクト端子３ｂと共にコンタクト端子３ｂ側の略半部がシールされることで、桟部２４から連結部５の略半部が露出される。
【００３６】
図４を参照して、連結部の一端部側におけるシール状態について説明する。図４は、本発明の実施の形態に係る連結部の一端部側におけるシール状態を示す断面模式図である。なお、図４は、第二のカード用のコンタクト端子の根本付近における部分断面を示している。
【００３７】
図４に示すように、成形金型４１は、上型４２と下型４３とによりコンタクト端子３ｂの根本部分と連結部５とを同一面で挟み込んで保持している。このとき、連結部５とコンタクト端子３ｂとの間に小さな空間４４が形成される。この空間４４は、上型４２、下型４３、連結部５およびコンタクト端子３ｂにより液密状態とされ、溶融樹脂の一側方からの侵入が防止される。また、成形金型４１における連結部５側の逆側は、上型４２および下型４３に形成された噛み合い部４６、４７により液密状態とされ、溶融樹脂の他側方からの侵入が防止される。
【００３８】
この状態で、成形金型４１内に溶融樹脂が充填されることで、連結部５の成形金型４１の一部にシールされない略半部が合成樹脂に埋設される。このように、連結部５とコンタクト端子３ｂとを成形金型４１の一部で保持することにより、連結部５とコンタクト端子３ｂとの間のスペースＬ１を小さくすることが可能となる。すなわち、図７に示すような樹脂壁６３が連結部５とコンタクト端子３ｂとの間に形成されることがない。また、樹脂壁６３が形成されないため、図７に示すような成形金型６４の連結部６１側に噛み合い部を形成する必要がない。
【００３９】
したがって、カードコネクタ用ハウジング１の幅方向において、連結部５とコンタクト端子３ｂとの間のスペースＬ１を小さくできるため、カードコネクタ用ハウジング１の幅寸法を大きくすることなくコンタクト端子３ｂを幅広に形成することが可能となる。これにより、コンタクト端子３ｂのバネ性を確保することができ、コンタクト端子３ｂと第二のカードとの接触信頼性を向上させることが可能となる。また、連結部５の一端側は、桟部２４に沿って端子保持部２１と連結部保持部２３との間においてハウジング本体２から露出されるため、広い範囲で成形金型４１の一部に保持される。よって、インサート成形時に、溶融樹脂の流動圧による連結部５の変形や位置ズレが防止される。
【００４０】
さらに、上記したシール方法では、成形金型４１の一部による連結部５の保持により、溶融樹脂の流動圧による連結部５の変形や位置ズレが防止されるため、防止用の押えピンが不要となり、金型構成を簡易なものとすることが可能となる。
【００４１】
また、連結部５の他端部側は、窓部１６ｃに対応する部分をシールする成形金型４１の一部によりシールされる。この構成により、連結部５の他端側は、窓部１６ｃにおいてコンタクト端子３ｃと共に全幅に亘ってハウジング本体２から露出される。このように、連結部５の他端側が全幅に亘って露出されるため、平面視において連結部５の他端側とコンタクト端子３ｃとの間に広いスペースが不要となり、カードコネクタ用ハウジング１の幅寸法を大きくすることなくコンタクト端子３ｃを幅広に形成することが可能となる。これにより、コンタクト端子３ｃのバネ性を確保することができ、コンタクト端子３ｃと第三のカードとの接触信頼性を向上させることが可能となる。
【００４２】
図５および図６を参照して、カードコネクタ用ハウジングの製造方法について説明する。図５は、カードコネクタ用ハウジングの製造方法の前半の説明図である。図６は、カードコネクタ用ハウジングの製造方法の後半の説明図である。
【００４３】
最初に、図５の工程１に示すように、金属板材を打ち抜き加工により打ち抜いて、複数のコンタクト端子３ａ、３ｂ、３ｃ、複数の外部端子４ａ、４ｂ、４ｃ、複数の連結部５の外形形状を形成する。このとき、複数のコンタクト端子３ａ、３ｂ、３ｃ、複数の外部端子４ａ、４ｂ、４ｃ、複数の連結部５は、フープ材５１により連結され、一体に形成されている。
【００４４】
次に、図５の工程２に示すように、一部のフープ材５１を切断すると共に、複数のコンタクト端子３ａ、３ｂ、３ｃに曲げ加工を施す。このとき、複数のコンタクト端子３ａ、３ｂ、３ｃは、曲げ加工により片持バネ状に形成される。複数のコンタクト端子３ａ、３ｂ、３ｃの先端側は、円弧状に曲げられ、第一、第二、第三のカードとの接触部分が形成される。また、複数のコンタクト端子３ｃは、基端部が垂直に折り曲げられ、連結部５が延在する平面に対して垂直方向に離間される。
【００４５】
次に、図６の工程３に示すように、成形金型４１により端子材を挟み、インサート成形によりハウジング本体２を形成する。このとき、複数のコンタクト端子３ａ、３ｂ、３ｃは、成形金型４１の一部によりシールされ、ハウジング本体２に窓部１６ａ、１６ｂ、１６ｃが形成される。また、コンタクト端子３ｂに隣接する連結部５の一端側は、コンタクト端子３ｂをシールする成形金型４１の一部によってシールされ、連結部５の一端側のコンタクト端子３ｂ側の略半部がハウジング本体２から露出される。さらに、コンタクト端子３ｃに平面視において隣接する連結部５の他端側は、コンタクト端子３ｃをシールする成形金型４１の一部によってシールされ、全幅に亘ってハウジング本体２から露出される。
【００４６】
次に、図６の工程４に示すように、ハウジング本体２のフープ材５１を切断すると共に、各端子間の接続部分を適宜切断してハウジング本体２内に回路を形成する。このようにして、カードコネクタ用ハウジング１が製造される。
【００４７】
以上のように、本実施の形態に係るカードコネクタ用ハウジング１によれば、コンタクト端子３ｂに隣接する連結部５のコンタクト端子３ｂ側の略半部がハウジング本体２から露出されるため、コンタクト端子３ｂと連結部５との間に樹脂壁が形成されることがない。よって、コンタクト端子３ｂと連結部５との間に広いスペースが不要となるため、カードコネクタ用ハウジング１の幅寸法を大きくすることなく、コンタクト端子３ｂの基端部側を幅広に形成すること可能となる。また、コンタクト端子３ｂの基端部側を幅広に形成することにより、コンタクト端子３ｂのバネ性を向上させて、第二のカードとの接触信頼性を高めることが可能となる。さらに、コンタクト端子３ｂをシールする成形金型４１の一部により連結部５を保持することで、押えピンにより連結部５を保持する構成と比較して金型構成を簡易にすることが可能となる。
【００４８】
なお、上記した実施の形態においては、連結部の一端部側であって、隣接するコンタクト端子側の略半部を露出させる構成としたが、この構成に限定されるものではない。連結部の一端部側は、隣接するコンタクト端子との間に樹脂壁を介在させなければよく、コンタクト端子側が露出されていればよい。
【００４９】
また、上記した実施の形態においては、連結部の一端部側は、隣接するコンタクト端子の根本付近から先端に亘る部分に対応する領域をハウジング本体から露出させる構成としたが、この構成に限定されるものではない。連結部の一端部側は、少なくともコンタクト端子の根本付近に対応する領域をハウジング本体から露出させる構成であればよい。
【００５０】
また、上記した実施の形態においては、連結部がコンタクト端子と外部端子とを接続する構成を例示して説明したが、この構成に限定されるものではない。連結部は、コンタクト端子と、このコンタクト端子以外の端子とを接続する構成であればよく、例えば、コンタクト端子と他のコンタクト端子とを連結する構成としてもよい。
【００５１】
また、上記した実施の形態においては、成形金型の一部により連結部と連結部に隣接するコンタクト端子とをシール（保持）する構成としたが、この構成に限定されるものではない。連結部と連結部に隣接するコンタクト端子との間に、溶融樹脂が流入しないように連結部とコンタクト端子とをシールする構成であれば、どのような構成でもよい。
【００５２】
また、上記した実施の形態においては、第一、第二、第三のカードの３種類のカードに対応可能なコンバイン型の構成としたが、この構成に限定されるものではない。１種類のカードのみに対応可能としてもよいし、複数種類のカードに対応可能としてもよい。
【００５３】
また、上記した実施の形態においては、カードコネクタ用ハウジングが、ＳＤカード、メモリースティック（登録商標）カード、ｘＤ−Ｐｉｃｔｕｒｅ（登録商標）カードに対応するものとして説明したが、この構成に限定されるものではない。ＭＭＣ（Multi  Media  Card）、メモリースティックデュオ（登録商標）カード等の他の規格カードに対応する構成としてもよい。
【００５４】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００５５】
以上説明したように、本発明は、簡易な金型構成で、幅寸法を大きくとることなく、連結部に隣接する端子部のバネ性を確保することができるという効果を有し、特に、インサート成形により製造されるカードコネクタ用ハウジングおよびカードコネクタ用ハウジングの製造方法に有用である。
【符号の説明】
【００５６】
１  カードコネクタ用ハウジング
２  ハウジング本体
３ａ  コンタクト端子
３ｂ  コンタクト端子（第一の端子部）
３ｃ  コンタクト端子（第三の端子部）
４ａ  外部端子
４ｂ  外部端子（第二の端子部）
４ｃ  外部端子
５  連結部
１６ａ、１６ｂ、１６ｃ  窓部
２４  桟部
４１  成形金型
４２  上型
４３  下型
４４  空間
４６、４７  噛み合い部
【図１】
2011108561.tif 000003
【図２】
2011108561.tif 000004
【図３】
2011108561.tif 000005
【図４】
2011108561.tif 000006
【図５】
2011108561.tif 000007
【図６】
2011108561.tif 000008
【図７】
2011108561.tif 000009